(57)【要約】  天井扇風機は、天井に備えられたフック（８）に、本体を吊下げるための吊下部を備え、吊下部の下部にモータ部と複数の羽根とが設けられている。吊下部は２枚のハンガー（１２）とハンガー（１２）の間にフック（８）に引っ掛けるためのプーリ（１０）を回転自在に備え、フック（８）が引っ掛かる溝部をＶ形状にプーリ（１０）に形成した。天井扇風機は、このＶ形状の溝部（１１）の谷部の辺２点がフック（８）と接することで、天井扇風機の振動を少なくした。
2020188835.tif 000002
【特許請求の範囲】
【請求項１】
天井に備えられたフックに吊下げられる天井扇風機であって、
前記フックから本体を吊下げるための吊下部と、
前記吊下部の下部に備えられたモータ部と、
前記モータ部の周囲に備えられた複数の羽根と、
前記吊下部に備えられＶ形状の溝部を有するプーリと、が設けられ、
前記プーリの溝部に前記フックが引っ掛けられることを特徴とする天井扇風機。
【請求項２】
前記吊下部は、
前記モータ部と結合されたパイプと、
前記プーリと前記パイプとを結合するハンガーと、
を備え、
２つの前記ハンガーは前記パイプの両側に設けられ、
前記プーリは２つの前記ハンガーの間に配置されたことを特徴とする請求項１に記載の天井扇風機。
【請求項３】
前記プーリは弾性を有するエラストマー樹脂からなることを特徴とする請求項１または２に記載の天井扇風機。
【請求項４】
前記ハンガーは、
前記ハンガーに対して前記プーリを回転自在に保持するボルトが挿入されたボルト貫通穴と、
前記ボルト貫通穴の中心から下方向にプーリの半径以内に設けられたネジ穴と、
を備え、
２つの前記ハンガーの間の前記プーリの側面に向けて前記ネジ穴よりネジが締められていることを特徴とする請求項２に記載の天井扇風機。
【請求項５】
前記ハンガーは、
前記ハンガーに対して前記プーリを回転自在に保持するボルトが挿入されたボルト貫通穴と、
前記ボルト貫通穴から下方向にプーリの半径以内に設けられた第一のネジ穴と、
前記ボルト貫通穴より横方向にプーリの半径以内に設けられた第二のネジ穴と、
を備え、
２つの前記ハンガーの間の前記プーリの側面に向けて前記第一のネジ穴および前記第二のネジ穴よりネジが締められていることを特徴とする請求項２に記載の天井扇風機。
【発明の詳細な説明】
【技術分野】
【０００１】
本発明は、天井から吊下げられた天井扇風機に関するものである。
【背景技術】
【０００２】
従来、この種の天井扇風機の構成は、以下のようであった。【０００３】
天井扇風機は、天井から吊下げられるための吊下部と、この吊下部の下部に備えたモータ部と、モータ部の周縁部に設けた支持部と、支持部に着脱可能に備えた複数の羽根部によって構成し、吊下部は天井に備えたＵ形状もしくはＪ形状などのフックに吊下げるものであった。【０００４】
このような天井扇風機に備えられる吊下部は例えば、特許文献１のように吊下げパイプの貫通穴にフックを貫通したもの、または、特許文献２のように、吊下部にプーリを設け、プーリの外周に備えた溝部にフックを引っ掛けるものが知られている。
【先行技術文献】
【特許文献】
【０００５】
【特許文献１】特開昭６２−２７１９９３号公報
【特許文献２】実開平４−６５９５号公報
【発明の概要】
【発明が解決しようとする課題】
【０００６】
一般に天井扇風機は、天井から吊下げて設置されることから、製品のほぼ中心に吊下部を設けたものが多く採用されている。また、天井扇風機は、吊下部の下方にモータを備え、モータの外周に複数の羽根を備え、モータが回転する周方向に複数の羽根が回転する構成となっている。このような構成のため、天井扇風機では、モータの僅かな振れ、および、羽根の形状および重量などに僅かなばらつきがある場合などには、モータの周方向の回転に伴う遠心力で外周方向の揺れは大きくなる傾向があった。
したがって、天井扇風機は従来、天井に備えたフックと吊下部の引っ掛け部において、フックと吊下部の寸法が合わず、双方の接触する面積が小さく、吊下部が固定されていないと、天井扇風機の振れおよび振動が大きくなることがあった。【０００７】
フックと吊下部のサイズが合わないという問題は、建物の建築工事の順番によるところが大きい。これは天井に設置するフックは、建築工事業者が一般に市販されているＵ形状またはＪ形状の鋼材を準備して天井工事に合わせて工事している。一方、天井扇風機の設置工事は、建物の外装および内装がほとんどできた状態で、室内の設備工事業者の手によって工事が行われる。このことから、天井扇風機の製造会社では、あらゆるフックの太さに対応するために、例えば特許文献１では、パイプの貫通穴を若干大きくすること、または特許文献２では、プーリに大きな半円の溝部を設けることが必要であった。このために天井扇風機の吊下げ状態で貫通穴またはプーリとフックとの間に隙間が生じ、天井扇風機の運転時の揺れの要因となることが課題であった。【０００８】
また、貫通穴またはプーリとフックとの接触面積を増やすために、フックのサイズをあらかじめ想定して貫通穴を小さくする場合、またはプーリの溝部の径を小さくした場合、フックのサイズが想定外だった場合に吊下げパイプまたはプーリをフックに引っ掛けることができず、フックの施工が再度必要になるなど課題もあった。【０００９】
さらに、貫通穴またはプーリのサイズとフックのサイズとを適正にするために、貫通穴の穴径またはプーリの溝部の径と太さが一致する専用のフックを製品に同梱することも考えられる。しかしながら、専用のフックを製品に同梱した場合、住宅の天井工事のタイミングにフックが間に合わないという問題があった。また、建物工事の後、天井扇風機を設置する場合、天井扇風機の設備業者にてフックを取り付ける追加の工事が必要となること、および、そのため天井付近の高所の足場を準備するなどの手間がかかり、施工性が悪化することが課題であった。【００１０】
本発明は、これら課題に鑑みてなされたものであって、建築工事側でどのようなフックが用いられるかに関わらず、プーリとフックが適正に固定され、揺れの小さい天井扇風機を提供するものである。
【課題を解決するための手段】
【００１１】
この目的を達成するために本発明は、天井に備えられたフックに吊下げられる天井扇風機であって、前記フックから本体を吊下げるための吊下部と、前記吊下部の下部に備えられたモータ部と、前記モータ部の周囲に備えられた複数の羽根と、前記吊下部に備えられＶ形状の溝部を有するプーリと、が設けられ、前記プーリの溝部に前記フックが引っ掛けられるものである。
【発明の効果】
【００１２】
本発明によれば、プーリの溝部をＶ形状にし、その溝部にフックを引っ掛けることで、フックの外周の両側にＶ形状の溝部の辺が触れることから、天井扇風機の揺れに対する防振効果の高い天井扇風機を提供することができる。【００１３】
また、本発明は様々なフックの外径に適合でき、施工性の良い天井扇風機を実現することができる。
【図面の簡単な説明】
【００１４】
【図１】天井扇風機の設置状態を示す概略図
【図２】本発明の天井扇風機の吊下部の概要を示す正面図
【図３】プーリとパイプを結合するハンガーの概略の形状を示す平面図
【図４】天井扇風機の吊下部とフックの接触状態を示す概略図
【図５】フックの太さによる、プーリとフックとの接触状態の違いを示す概略図
【図６】フックの太さによる、プーリとフックとの接触状態の違いを示す概略図
【発明を実施するための形態】
【００１５】
図１は天井扇風機２の設置状態を示す概略図である。
図１に示すように、天井扇風機２は、天井１に備えられたフック８に吊下部３を吊下げることで、天井１に保持されている。フック８はＵ形状、あるいはＪ形状の形状であり、住宅の建築工事の際に天井１に固定される。図１ではフック８はＵ形状のものを表している。
【００１６】
天井扇風機２は、天井１から吊下げられるための吊下部３と、吊下部３の下部に備えた円盤状のモータ部４で構成している。モータ部４は吊下部３に固定した円盤状の固定子と、この固定子と所定の間隔を持って周設された円盤状の回転子で構成されている。モータ部４の回転子の周縁部には羽根支持部５を設けており、この羽根支持部５に複数の羽根６を着脱可能に有している。
【００１７】
天井扇風機２は、モータ部４の固定子の中心に吊下部３を備え、この吊下部３を中心にモータ部４の周縁となる回転子が回転することで、複数の羽根６が回転し、天井面と床面との気流を形成する。モータ部４の下部には、モータ部４の下部を覆い意匠性を備えた意匠部７が設けられている。上記のように吊下部３は、フック８から本体を吊下げるための構成部である。本体は、少なくともモータ部４と複数の羽根６とを含んで構成されている。
【００１８】
天井扇風機２はこのように、モータ部４の周縁部が回転していることから、モータ部４の僅かな振れ、または、複数の羽根６の形状もしくは重量などに若干のばらつき等がある場合、遠心力により円周方向に大きな力が働き天井扇風機２本体の振動が問題となることがある。
したがって、フック８と吊下部３は外観または信頼性の面から強固に密着することが求められている。
【００１９】
図２は本発明の天井扇風機２の吊下部３の概略を示す正面図である。
図２に示すように吊下部３は、吊下部３とモータ部４を結合するためのパイプ９と、Ｖ形状の溝部１１を周上に有するプーリ１０を備えている。プーリ１０とパイプ９はハンガー１２によって結合されている。ハンガー１２はパイプ９に対して左右対称に両側に配置し、第二のボルト１５とナット１６で固定している。また、ハンガー１２とプーリ１０は側面に第一のボルト１４を貫通させるための第一のボルト貫通穴１７を有しており、２枚のハンガー１２の間にプーリ１０を配置し、第一のボルト１４によってプーリ１０を回転自在に保持している。すなわち、第一のボルト貫通穴１７には、ハンガー１２に対してプーリ１０を回転自在に保持する第一のボルト１４が挿入されている。
【００２０】
図３はハンガー１２の形状を示した平面図である。
図３に示すように、ハンガー１２はプーリ１０を両側から回転自在に挟んで固定するための第一のボルト貫通穴１７を備える。また、パイプ９を両側から挟んで固定するための第二のボルト貫通穴１８をハンガー１２に設けている。さらに、第一のボルト貫通穴１７の中心より垂直下方向にプーリ１０の半径以内の位置に第一のネジ穴１９を設ける。また第一のボルト貫通穴１７の中心から水平横方向にプーリ１０の半径以内の位置に第二のネジ穴２０を有する。第一のネジ穴１９と第二のネジ穴２０の用途は後述する。
【００２１】
図２に示すように、パイプ９は、ハンガー１２の下部に設けられたパイプ保持部１３によって両側から保持されている。また図２、図３に示すようにハンガー１２の第二のボルト貫通穴１８より第二のボルト１５をパイプ保持部１３およびパイプ９に通して、ナット１６で固定している。
【００２２】
図４、図５および図６を用いて吊下部３とフック８の吊下方法を説明する。
図４は天井扇風機２の吊下部３とフック８の接触状態を示す概略図、図５および図６はフック８の太さによる、プーリ１０とフック８との接触状態の違いを示す概略図である。なお、図４におけるプーリ１０とフック８との接触関係については、理解の容易のため断面を示している。
【００２３】
図１に示すように、天井１にはフック８が設置されており、フック８はＵ形状もしくはＪ形状のフック形状で形成されている。また、フック８は建築者もしくは天井扇風機２の施工者によって市販品が使用されるため、その太さは未定である。
【００２４】
天井扇風機２の吊下においては、プーリ１０をフック８に吊下げることで天井扇風機２を天井１から吊下げる。このときフック８はプーリ１０のＶ形状の溝部１１に嵌ることで、フック８の外周は、プーリ１０のＶ形状の溝部１１の辺と接することになる。すなわち、フック８の外周は、プーリ１０のＶ形状の溝部１１の内面と接することになる。図４に図示するようにプーリ１０の右側は第一の接触点２２、左側には第二の接触点２３が存在することがわかる。すなわち、プーリ１０のＶ形状の溝部１１の右側の内面には第一の接触点２２が、プーリ１０のＶ形状の溝部１１の左側の内面には第二の接触点２３が存在する。
【００２５】
プーリ１０をフック８に吊下げた場合のプーリ１０とフック８の接触状態を図５および図６に示す。図５はフック８の径が相対的に小径の場合を示し、図６はフック８の径を相対的に大径にした場合の図である。図５および図６の両図において、フック８の外周は、プーリ１０のＶ形状の溝部１１の谷部に嵌り、第一の接触点２２、第二の接触点２３の２箇所で接している。このようにフック８とプーリ１０は、用いられるフック８の太さに依存せず常に２点で接触する。
【００２６】
プーリ１０のＶ形状の溝部１１はＶの形にすることにより、Ｖ形状の溝部１１にはめることができるフック８の外径の許容範囲が広がり、さまざまなフック８に対応可能となる。
また、このようにフック８を２点で挟むようにフック８とＶ形状の溝部１１とが接することで、従来の半円形状の溝部を有するプーリよりも、フック８とプーリ１０とが強固に密着することができ、振動を抑制することが可能である。
【００２７】
図４に示すように、天井扇風機２を吊下げた後に、ハンガー１２に備えられた第一のネジ穴１９および第二のネジ穴２０より、ネジ２１を締める。すなわち、２つのハンガー１２に備えられた第一のネジ穴１９および第二のネジ穴２０からネジ２１を２つのハンガー１２の間のプーリ１０の側面に向けて通して、ネジ２１を締める。ネジ２１を締めるとプーリ１０はネジ２１により側面から圧力を受け内側に変形する。この時、プーリ１０のＶ形状の溝部１１も内側に変形し、フック８の外径にプーリ１０のＶ形状の溝部１１を密着させることができる。
【００２８】
プーリ１０とフック８はネジ２１によって圧縮され、Ｖ形状の溝部１１とフック８は第一の接触点２２および第二の接触点２３の接触する面積が大きくなり固定される。これにより、さらに密着性が良く、半円形状の溝部を有するプーリと比較して、天井扇風機２に発生する揺れを抑制することが可能となる。
【００２９】
また、プーリ１０は材料をエストラマー樹脂とすることで、ゴムのように弾性があり、防振および耐衝撃に優れる。またエストラマー樹脂は、射出成形などで任意の形に成形できることが可能なため生産が容易な上、形状も安定しやすい。
【００３０】
これにより、プーリ１０は、建築側に備えられたＵ形状もしくはＪ形状のフック８の種類および外径によらず吊下げ可能であり、フック８の外径に依存せずに常にフック８と密着する。このように、本発明はプーリ１０とフック８の間に隙間を生じさせず、揺れの発生を抑制でき、信頼性の高い天井扇風機２を提供できるという効果が得られる。
【００３１】
また、専用のフック８を提供する必要がなく、生産性の良い天井扇風機を提供できるという効果が得られる。
【符号の説明】
【００３２】
１  天井、２  天井扇風機、３  吊下部、４  モータ部、５  羽根支持部、６  羽根、７  意匠部、８  フック、９  パイプ、１０  プーリ、１１  Ｖ形状の溝部、１２  ハンガー、１３  パイプ保持部、１４  第一のボルト、１５  第二のボルト、１６  ナット、１７  第一のボルト貫通穴、１８  第二のボルト貫通穴、１９  第一のネジ穴、２０  第二のネジ穴、２１  ネジ、２２  第一の接触点、２３  第二の接触点。
【図１】
2020188835.tif 000003
【図２】
2020188835.tif 000004
【図３】
2020188835.tif 000005
【図４】
2020188835.tif 000006
【図５】
2020188835.tif 000007
【図６】
2020188835.tif 000008
【国際調査報告】
2020188835.tif 000009
2020188835.tif 000010
2020188835.tif 000011